(57)【要約】【課題】複数のリムーバブルＨＤＤの記録番組を、ＳＴＢに取り付けなくても確認できるようにする。【解決手段】リムーバブルＨＤＤ２５を交換してＳＴＢ２９に接続できる。不揮発性メモリ２３に各リムーバブルＨＤＤに記録された番組の情報を格納する。不揮発性メモリ２３の記憶領域は管理ゾーン４１とプログラムゾーン４４の２つに分かれる。プログラムゾーン４４にはＳＴＢ２９を動作させるプログラムが格納されている。管理ゾーン４１には、複数のリムーバブルＨＤＤを管理する情報が収められ、リムーバブルＨＤＤ毎に固有につけられたＩＤを記憶するＩＤエリア４２ｘと、ＩＤ毎の番組情報を記憶している番組情報エリア４３ｘがペアで格納されている。ＩＤエリア４２ｘと番組情報エリア４３ｘは、このＳＴＢ２９が管理しているリムーバブルＨＤＤの数だけ存在する。番組情報エリア４３ｘの情報は、対応するリムーバブルＨＤＤに記録される番組を示す番組情報と一致する。【選択図】  図１
2004199742.tif 000002
【特許請求の範囲】
【請求項１】
着脱可能な記録媒体に対してデータを記録する記録装置であって、
装着された記録媒体の所定エリアに前記データの内容を示す内容情報を記録する記録手段と、
複数の記録媒体の前記内容情報を各記録媒体の識別情報に対応させて保持する保持手段と、
前記記録媒体の着脱時に当該着脱された記録媒体の識別情報に従って、前記保持手段に保持された内容情報と前記記録媒体に記録された内容情報とを一致させるように前記記録手段又は前記保持手段を制御する制御手段とを備えることを特徴とする記録媒体管理装置。
【請求項２】
前記制御手段は、前記記録媒体の装着時に前記記録媒体に記録された内容情報と前記保持手段に保持された内容情報とを比較し、夫々の内容情報が異なっていた場合に、前記保持手段に保持された内容情報を前記記録媒体に記録された内容情報に書き換えることを特徴とする請求項１に記載の記録媒体管理装置。
【請求項３】
前記制御手段は、前記記録媒体の離脱時に前記記録媒体に記録された内容情報と前記保持手段に保持された内容情報とを比較し、夫々の内容情報が異なっていた場合に、前記記録媒体に記録された内容情報を前記保持手段に保持された内容情報に書き換えることを特徴とする請求項１に記載の記録媒体管理装置。
【請求項４】
前記保持手段に保持された内容情報を表示手段に表示させる表示制御手段と、
前記内容情報の表示を指示する指示手段とを備え、
前記表示制御手段は、前記指示手段による指示に応じて前記装着された記録媒体に対応する内容情報を表示し、その後、更に前記指示手段による指示があった場合には、前記装着された記録媒体以外の記録媒体に対応する内容情報を表示することを特徴とする請求項１に記載の記録媒体管理装置。
【請求項５】
前記識別情報は前記記録媒体の製造時に割当てられた固有の情報であり、前記装着された記録媒体に前記識別情報とは異なる第２の識別情報を割当てる割当て手段を有し、
前記保持手段は前記第２の識別情報を前記記録媒体及び前記識別情報とに対応付けて保持することを特徴とする請求項１に記載の記録媒体管理装置。
【請求項６】
前記割当て手段は、前記装着された記録媒体の識別情報又は第２の識別情報が前記保持手段に保持されているか否か判別し、当該識別情報又は第２の識別情報が保持されていない場合に、当該記録媒体に第２の識別情報を割当てることを特徴とする請求項５に記載の記録媒体管理装置。
【請求項７】
前記第２の識別情報は、前記割当て手段により順番に割当てられる番号であることを特徴とする請求項６に記載の記録媒体管理装置。
【請求項８】
前記割当て手段は、マニュアル操作により任意の情報を割当て可能とすることを特徴とする請求項６に記載の記録媒体管理装置。
【請求項９】
記録装置によりデータを記録され当該記録装置に着脱可能な記録媒体の記録管理方法であって、
前記記録装置に装着された記録媒体の所定エリアに前記データの内容を示す内容情報を記録し、
複数の記録媒体の前記内容情報を各記録媒体の識別情報に対応させて前記記録装置に保持させ、
前記記録媒体の着脱時に当該着脱された記録媒体の識別情報に従って、前記保持された内容情報と前記記録媒体に記録された内容情報とを一致させるように制御することを特徴とする記録媒体管理装置。
【請求項１０】
前記記録媒体の装着時に前記記録媒体に記録された内容情報と前記記録装置に保持された内容情報とを比較し、夫々の内容情報が異なっていた場合に、前記記録装置に保持された内容情報を前記記録媒体に記録された内容情報に書き換えることを特徴とする請求項９に記載の記録媒体管理方法。
【請求項１１】
前記記録媒体の離脱時に前記記録媒体に記録された内容情報と前記記録装置に保持された内容情報とを比較し、夫々の内容情報が異なっていた場合に、前記記録媒体に記録された内容情報を前記記録装置に保持された内容情報に書き換えることを特徴とする請求項９に記載の記録媒体管理方法。
【請求項１２】
前記記録装置に保持された内容情報の表示手段への表示を指示し、
当該表示の指示に応じて前記装着された記録媒体に対応する内容情報を表示し、その後、更に表示の指示があった場合には、前記装着された記録媒体以外の記録媒体に対応する内容情報を表示することを特徴とする請求項９に記載の記録媒体管理方法。
【請求項１３】
前記識別情報は前記記録媒体の製造時に割当てられた固有の情報であり、前記装着された記録媒体に前記識別情報とは異なる第２の識別情報を割当て、
前記第２の識別情報を前記記録媒体及び前記識別情報とに対応付けて前記記録装置に保持させることを特徴とする請求項９に記載の記録媒体管理方法。
【請求項１４】
前記装着された記録媒体の識別情報又は第２の識別情報が前記記録装置に保持されているか否か判別し、当該識別情報又は第２の識別情報が保持されていない場合に、当該記録媒体に第２の識別情報を割当てることを特徴とする請求項１３に記載の記録媒体管理方法。
【請求項１５】
前記第２の識別情報は、前記割当て手段により順番に割当てられる番号であることを特徴とする請求項１４に記載の記録媒体管理方法。
【請求項１６】
前記第２の識別情報は、マニュアル操作により割当てられた任意の情報であることを特徴とする請求項１４に記載の記録媒体管理方法。
【請求項１７】
請求項９乃至請求項１６の何れか１項に記載の記録媒体管理方法をコンピュータにより実行するためのプログラム又は当該プログラムを記憶した記憶媒体。
【発明の詳細な説明】
【０００１】
【発明の属する技術分野】
本発明は、記録装置に着脱可能な記録媒体の管理方法に関する。
【０００２】
【従来の技術】
近年、新しいテレビ放送方式としてデジタル放送が注目されている。従来の通信衛星を使ったＣＳ（Ｃｏｍｍｕｎｉｃａｔｉｏｎ  Ｓａｔｅｌｌｉｔｅ）放送に加え、ＢＳ（Ｂｒｏａｄｃａｓｔ  Ｓａｔｅｌｌｉｔｅ）デジタル放送、広帯域ＣＳ放送（いわゆる１１０°ＣＳ放送）も始まり、チャネル数が増え、視聴者が選択可能な番組が増加した。今後も、デジタル地上波テレビ放送が開始される予定であり、番組数がますます増加すると予想される。
【０００３】
一方、記録装置も、従来のビデオテープを記録媒体とするものに加え、記録型ＤＶＤを記録媒体とする装置、及び、取り外し可能なリムーバブルハードディスクドライブ（ＨＤＤ）を応用した記録装置等が次々に発売されている。
【０００４】
リムーバブル型メディアの一般的な欠点として、どのメディアに何の番組を録画したかが分からなくなってしまうことがある。これを補う方法として、特開平７−２４９２８３号公報に記載されるように、メディアに管理データを記憶するエリアを設け、複数のメディアを収納できるラックに各メディアの管理データを読み出せる装置を設けることで、記録装置にメディアを挿入しなくともメディアの管理データが読める技術がある。
【０００５】
【発明が解決しようとする課題】
しかし、従来の方法では、複数のメディアを収納可能なラックを特別に用意しなければならず、大掛かりな装置となってしまっていた。
【０００６】
本発明は、このようなラックを設けることなく、リムーバブル型メディアとその記録内容との対応関係を容易に把握可能とする記録媒体の管理方法を提示することを目的とする。
【課題を解決するための手段】
このような目的下において、本発明の記録媒体管理装置は、着脱可能な記録媒体に対してデータを記録する記録装置であって、装着された記録媒体の所定エリアに前記データの内容を示す内容情報を記録する記録手段と、複数の記録媒体の前記内容情報を各記録媒体の識別情報に対応させて保持する保持手段と、前記記録媒体の着脱時に当該着脱された記録媒体の識別情報に従って、前記保持手段に保持された内容情報と前記記録媒体に記録された内容情報とを一致させるように前記記録手段又は前記保持手段を制御する制御手段とを備えることを特徴とする。
【０００７】
また、本発明の記録媒体管理方法は、記録装置によりデータを記録され当該記録装置に着脱可能な記録媒体の記録管理方法であって、前記記録装置に装着された記録媒体の所定エリアに前記データの内容を示す内容情報を記録し、複数の記録媒体の前記内容情報を各記録媒体の識別情報に対応させて前記記録装置に保持させ、前記記録媒体の着脱時に当該着脱された記録媒体の識別情報に従って、前記保持された内容情報と前記記録媒体に記録された内容情報とを一致させるように制御することを特徴とする。
【０００８】
【実施例】
以下、図面を参照して、本発明の実施例を詳細に説明する。
【０００９】
図１は、本発明の一実施例を適用するデジタル放送受信記録装置の概略構成ブロック図を示す。セットトップボックス（ＳＴＢ）２９は、リモコン２８により操作可能である。ＳＴＢ２９には、アンテナ、表示器８及びスピーカ１７が接続する。
【００１０】
ＳＴＢ２９の構成と動作を説明する。１１はＳＴＢ２９の全体を制御するシステム制御部、１０は、システム制御部１１と各回路要素を結ぶ共通バスである。デジタルチューナ１は、受信したデジタル放送波から、システム制御部１１の指示に従う所望の周波数を選択する復調＆エラー訂正回路２は、デジタルチューナ１の出力信号を復調し、通信路で発生したエラーを検出訂正して、トランスポートストリームと呼ばれる形式のデジタルデータを生成する。復調＆エラー訂正回路２の出力データはデマルチプレクサ３に印加される。
【００１１】
デマルチプレクサ３は、ＰＳＩ（Ｐｒｏｇｒａｍ  Ｓｐｅｃｉｆｉｃ  Ｉｎｆｏｒｍａｔｉｏｎ）中のＰＡＴ（Ｐｒｏｇｒａｍ  Ａｓｓｏｃｉａｔｉｏｎ  Ｔａｂｌｅ）及びＰＭＴ（Ｐｒｏｇｒａｍ  Ｍａｐ  Ｔａｂｌｅ）を用い、時分割多重化されたトランスポートストリーム中のプログラム番号・ＰＩＤの値・ストリームタイプの内容を認識し、システム制御部１１からの制御信号で指定されるプログラムを選択し、そのプログラムに含まれる映像ストリームＤ１、音声ストリームＤ２およびＥＰＧデータＤ３を分離して、別々の経路で出力する。
【００１２】
映像デコーダ４は、デマルチプレクサ３で選択された動画映像ストリーム信号Ｄ１を復号し、非圧縮動画映像データを出力する。合成回路５は、映像デコーダ４の出力信号と後述する画面生成部２０からのＥＰＧ映像信号とを合成する。映像出力回路６は、合成回路５の出力信号を外部の表示器８に適した信号に変換し、映像出力端子７を介して表示器８に印加する。
【００１３】
音声デコーダ１４は、デマルチプレクサ３からの音声ストリーム信号Ｄ２をデコードし、非圧縮音声データに出力する。デジタルーアナログ変換器１５は、音声デコーダ１４の出力をアナログ信号に変換する。そのアナログ音声信号は、音声出力端子１６を介して外部スピーカ１７に印加され、音出力される。
【００１４】
ユーザは、赤外線を発するリモコン２８（詳細は後述）により、ＳＴＢ２９に対してチャネル切り替え及びＥＰＧ表示等を指示する。受光部３０は、リモコン２８からの赤外線を受光し、受光した信号は、リモコンインタフェース１３及び共通バス１０を介してシステム制御部１１に供給される。
【００１５】
不揮発性メモリ２３は、共通バス１０に接続し、後述する番組情報・プログラム等を記憶する。ＨＤＤ制御部２４は、ＳＴＢ２９から取り外し可能なリムーバブルＨＤＤ２５を制御バス２６を介して制御する。イジェクトスイッチ２２は、リムーバブルＨＤＤ２５をイジェクトさせたいときに押すスイッチであり、イジェクトの際には、後述する処理を行った後、イジェクトモータ２７が回転し、これによりリムーバブルＨＤＤ２５がＳＴＢ２９から外されるようになっている。
【００１６】
ＥＰＧデータの処理を説明する。ＥＰＧを構成するのに必要なデータとして、ＳＤＴ（Ｓｅｒｖｉｃｅ  Ｄｅｓｃｒｉｐｔｉｏｎ  Ｔａｂｌｅ）という編成チャネル名称・放送事業者の名称等のデータ、ＥＩＴ（Ｅｖｅｎｔ  Ｉｎｆｏｒｍａｔｉｏｎ  Ｔａｂｌｅ）という放送予定の番組データ、及びＴＯＴ（ＴｉｍｅＯｆｆｓｅｔ  Ｔａｂｌｅ）という現在の日付時刻を示すデータ等がある。ＥＩＴは、ＰＩＤ＝０Ｘ００１２に固定されており、ＥＩＴのセクションはｔａｂｌｅ＿ｉｄ・チャネル番号＝ｓｅｒｖｉｃｅ＿ｉｄを含み、それに続いて、番組番号＝ｅｖｅｎｔ＿ｉｄ・開始時刻・放送時間長・番組名・番組内容説明が番組の数だけ含まれている。
【００１７】
ＥＰＧ表示の指示があったときにすぐに表示できるように、システム制御部１１は、デマルチプレクサ３から定期的に送られてくるＥＰＧデータＤ３を抜き取り、メモリ１２に蓄積しておく。リモコン２８のＥＰＧキー１５１が押されたとき、システム制御部１１は、予め取り込まれているＥＰＧデータＤ３をメモリ１２から読み出す。ＥＰＧの表を作成する際、システム制御部１１は、番組名・時刻・チャネル名称・ｓｅｒｖｉｃｅ＿ｉｄの各表示データをＥＰＧデータとしてＥＰＧデコーダ１９に出力する。
【００１８】
ＥＰＧデコーダ１９は、メモリ１２から読み出された番組、時刻、チャネル名称及びｓｅｒｖｉｃｅ＿ｉｄの表示データをデコードし復号されたＥＰＧデータＤ４を画面生成部２０に出力する。画面生成部２０は、ＥＰＧデータＤ４に基づき、ＥＰＧを構成するためのキャラクタ信号を生成する。画面生成部２０の出力は、合成回路５及び映像出力回路６を介して表示器８に印加され、ＥＰＧ映像として表示される。
【００１９】
図２は、リモコン２８の外観図を示す。１０３は赤外線発光部である。１０６は電源キー、１１０はチャネルのダウンキーであり、このキーを押すたびに受信チャネルがダウンする。１１１はチャネルのアップキーであり、このキーを押すたびに受信チャネルがアップする。１１５はチャネルダイレクトキー群であり、数字のキーが押された時、１から１２チャネルまでの受信チャネルが直接、選択される。
【００２０】
早戻りキー１２６、録画キー１２７、１２８はストップキー１２８、１２９は再生キー１２９、及び早送りキー１３０は、する。リムーバブルＨＤＤ２５に対して録画・再生等を指示するキーである。
【００２１】
１４３は決定キー、１４４は右カーソルキー、１４５は下カーソルキー、１４６は左カーソルキー、１４７は上カーソルキー、１４９は戻るキーである。１５１は電子番組表（ＥＰＧ）の表示を指示するＥＰＧキー、１５２は、受信条件設定等を行う表示を指示するメニューキーである。１５３はリムーバブルＨＤＤ２５及び不揮発性メモリ２３に記憶されている番組情報の表示をするリストキーである。
【００２２】
リモコン２８は、キー１０６乃至１５３が押されると、押されたキーに対応したコードを示す赤外線信号を赤外線発光部１０３から出力する。
【００２３】
図３はＳＴＢ２９の外観図である。リムーバブルＨＤＤ２５は、ＳＴＢ２９の取り付け口３１に差し込まれる。イジェクトボタンを押すと、イジェクトモータ２７が動作して、リムーバブルＨＤＤ２５がＳＴＢ２９から外される。
【００２４】
図４は、不揮発性メモリ２３のメモリマップを示す。大きく、管理ゾーン４１とプログラムゾーン４４の２つに分かれる。プログラムゾーン４４には、このＳＴＢ２９を動作させるプログラムが格納されている。管理ゾーン４１には、複数のリムーバブルＨＤＤを管理する情報が収められ、リムーバブルＨＤＤ毎に固有につけられたＩＤを記憶するＩＤエリア４２ｘと、ＩＤ毎の番組情報を記憶している番組情報エリア４３ｘがペアで格納されている。ＩＤエリア４２ｘと番組情報エリア４３ｘは、このＳＴＢ２９が管理しているリムーバブルＨＤＤの数だけ存在する。
【００２５】
図５は、リムーバブルＨＤＤ２５のメモリマップを示す。リムーバブルＨＤＤ毎に固有につけるＩＤを記憶しておくＩＤエリア５２と、番組情報を記憶する番組情報エリア５３と、番組内容ゾーン５５の３つに分かれる。番組内容ゾーン５５には、録画した番組ごとにつけられるプログラム番号によって管理する映像・音声データ５５ｘが記録されている。
【００２６】
図６は、番組情報エリア４３ｘ又は５３の内容を記す。番組ごとにプログラム７Ｘが作られ、各プログラム７ｘは、プログラム番号６１と、ＥＰＧデータＤ３から得られる記録日時６２、チャネル６３、番組名６４、記録時間６５及び保存するかどうかを決める保存フラグ６６から成る。
【００２７】
図７及び図８に示すフローチャートを参照して、リムーバブルＨＤＤ２５をＳＴＢ２９に取り付ける際の動作を説明する。ここで、リムーバブルＨＤＤ２５には、製造時に、固有のＩＤがＩＤエリア５２に書き込まれ、またリムーバブルＨＤＤの外観より判別可能であるとする。
【００２８】
ＳＴＢ２９の電源がオンの時にリムーバブルＨＤＤ２５を取り付けると（Ｓ７１）、ステップＳ７４へ進む。ＳＴＢ２９の電源がオフの時にリムーバブルＨＤＤ２５を取り付け（Ｓ７２）、ＳＴＢ２９の電源をオンにすると、ステップＳ７４に進む。システム制御部１１は、制御バス２６を介して、リムーバブルＨＤＤ２５が接続されたことを知る。
【００２９】
システム制御部１１は、リムーバブルＨＤＤ２５のＩＤエリア５２に書かれているＨＤＤ固有のＩＤを読み込む（Ｓ７５）。システム制御部１１は、不揮発性メモリ２３中のＩＤエリア４２Ｘを検索し、同じＩＤを探す（Ｓ７７）。同じＩＤがなかったら、ステップＳ８３へ進み、あったらステップＳ７９へ進む（Ｓ７８）。
【００３０】
ステップＳ８３では、新しいＩＤを持つリムーバブルＨＤＤが接続されたと判断し、不揮発性メモリ２３中に新しいＩＤエリア４２Ｘを設け、リムーバブルＨＤＤ２５のＩＤエリアのＩＤを書き込む（Ｓ８３）。更に、不揮発性メモリ２３中に新しい番組情報エリア４３Ｘを設け、リムーバブルＨＤＤ２５の番組情報エリア５３の番組情報の内容を番組情報エリア４３Ｘに書き込む。
【００３１】
ステップＳ７９では、同じＩＤに対応する不揮発性メモリ２３中の番組情報エリア４３Ｘ中の番組情報と、リムーバブルＨＤＤ２５の番組情報エリア５３の番組情報を比較し（Ｓ７９）、同じ番組情報だったら、ステップＳ８５へすすみ、違っていたらステップＳ８２へ進む。ステップＳ８２では、リムーバブルＨＤＤ２５は、別のＳＴＢで番組が録画／削除されて番組情報が変更され、不揮発性メモリ２３中の番組情報エリア４３Ｘ中の番組情報と異なったと判断し、リムーバブルＨＤＤ２５の番組情報エリア５３の番組情報を、不揮発性メモリ２３中の番組情報エリア４３Ｘに書き込む（Ｓ８２）。
【００３２】
リモコン２８の録画キー１２７が押されるか、または、録画予約が実行され録画動作を実行したなら新しいプログラムが作られるので（Ｓ８５）、システム制御部１１は、ＥＰＧデータＤ３の内容をメモリ１２から呼び出し、不揮発性メモリ２３中の番組情報エリア４３Ｘに新しいプログラム番号を割り振り、新しいプログラムとして書き加える（Ｓ８７）。録画されている番組を後述する番組リストから削除したなら、プログラムを削除する必要があるので（Ｓ８８）、システム制御部１１は、不揮発性メモリ２３中の番組情報エリア４３Ｘの番組情報から削除した番組に対応するプログラムを削除する（Ｓ８９）。
【００３３】
図９に示すフローチャートを参照して、リムーバブルＨＤＤ２５をイジェクトする際の動作を説明する。イジェクトスイッチ２２が押されたら（Ｓ９１）、ＳＴＢ２９が録画中または再生中かどうかを判断し（Ｓ９２）、そうでなかったらステップＳ９６へ進む。ステップＳ９６では、リムーバブルＨＤＤ２５が取り付けられてから録画又は番組削除が行われ、番組情報の変更があったかどうかを調べるために、同じＩＤに対応する不揮発性メモリ２３中の番組情報エリア４３Ｘ中の番組情報と、リムーバブルＨＤＤ２５の番組情報エリア５３の番組情報を比較する（Ｓ９６）。番組情報の変更が無く、同じ情報番組と判断されたら（Ｓ９７）、ステップＳ９９へ進む。異なっていたら、ステップＳ９８へ進み不揮発性メモリ２３中の番組情報エリア４３Ｘの番組情報の内容を、リムーバブルＨＤＤ２５の番組情報エリア５３に書き込む（Ｓ９８）。
【００３４】
ステップＳ９９では、不揮発性メモリ２３とリムーバブルＨＤＤ２５の個々の番組情報が一致したので、イジェクトモータ２７を動作させ、リムーバブルＨＤＤ２５をイジェクトする（Ｓ９９）。
【００３５】
図１０に示すフローチャートを参照して、録画した番組リストを表示して再生する方法を説明する。ユーザがリモコン２８のリストキー１５３を押すと（Ｓ１０２）、不揮発性メモリ２３に蓄えられている番組情報エリア４３Ｘから、現在、取り付けられているリムーバブルＨＤＤ２５のＩＤに相当する番組情報が読み出される（Ｓ１０３）。読み出された番組情報は、ＥＰＧデコーダ１９及び画面制御部２０によりＥＰＧ映像データに変換され、プログラム番号順に表示器８により表示される（Ｓ１０４）。つまり、記録日時、チャネル、番組名及び記録時間等がプログラム番号順に表示される。
【００３６】
ユーザがもう一度、リモコン２８のリストキー１５３を押すと、ステップＳ１０７に進み、上下カーソルキー１４８，１４７を押すと、ステップＳ１０８に進む。ここでプログラムを選び決定キー１４３を押すと、選択されたプログラムに対応する映像・音声データ５５ｘがリムーバブルＨＤＤ２５からデマルチプレクサ３に送られ、番組が再生される（Ｓ１０８）。ステップＳ１０７では、不揮発性メモリ２３に蓄えられている番組情報エリア４３Ｘの番組情報がＩＤ順かつプログラム順に表示される（Ｓ１０７）。これにより、ユーザは、探したい番組がどのリムーバブルＨＤＤに録画されているかが分かるので（Ｓ１０９）、希望の番組が録画されたリムーバブルＨＤＤをすぐに発見できる。
【００３７】
（第２実施例）
第２の実施例においては、ＳＴＢに新しく装着されたＨＤＤに対し夫々ＨＤＤ名を割当てる点において第１の実施例と異なり、他の構成については同様であるので説明を省略する。
【００３８】
図１１は、第２実施例における不揮発性メモリ２３のメモリマップを示す。ＩＤエリア４２ｘと番組情報エリア４３ｘの間に、ＨＤＤ名を記憶するＨＤＤ名エリア４５Ｘを設ける。
【００３９】
図１２は、第２実施例における、リムーバブルＨＤＤ２５をＳＴＢ２９に取り付ける際のフローチャートである。ステップＳ８３までは、第１実施例と同じなので、説明を省略する。ステップＳ１２１において、新規登録のリムーバブルＨＤＤであったので、不揮発性メモリ２３中に新しいＨＤＤ名エリア４５Ｘを設け、今まで登録したリムーバブルＨＤＤの番号１から順にＨＤＤ名とする（Ｓ１２１）。これにより、ＨＤＤ名が自動かつシーケンシャルに割り振られることになる。
【００４０】
なお、本実施例では新規に登録された順にＨＤＤに対して番号を割当てたが、ＨＤＤ名はこれに限ることなく、ユーザ独自で設定可能としてもよい。
【００４１】
【発明の効果】
以上の説明から容易に理解できるように、本発明によれば、リムーバブルな記録媒体を記録装置に着脱する際に、記録媒体と記録装置本体とに夫々設けられている記憶エリアの記録内容を一致させ、記録装置側の記憶エリアより各記録媒体の記録内容を読み出して表示することにより、複数の記録媒体をその記録内容とともに容易に管理することができる。
【図面の簡単な説明】
【図１】本発明の第１実施例の概略構成ブロック図である。
【図２】リモコン２８の外観図である。
【図３】ＳＴＢ２９の外観図である。
【図４】不揮発性メモリ２３のメモリマップ例である。
【図５】リムーバブルＨＤＤ２５の内容例である。
【図６】第１実施例における番組情報エリアの内容例である。
【図７】第１実施例において記録メディアを取り付ける際の動作フローチャートの一部である。
【図８】第１実施例において記録メディアを取り付ける際の動作フローチャートの残りである。
【図９】第１実施例において記録メディアをイジェクト際の動作フローチャートである。
【図１０】第１実施例にけるリスト表示のフローチャートである。
【図１１】第２実施例における不揮発性メモリの内容例である。
【図１２】第２実施例において記録メディアを取り付ける際の動作フローチャートである。
【符号の説明】
１：デジタルチューナ
３：デマルチプレクサ
４：映像デコーダ
５：合成回路
８：表示器
１１は：ステム制御部
１３：リモコンインタフェース
１４：音声デコーダ
１９：ＥＰＧデコーダ
２０：画面生成部
２３：不揮発性メモリ
２２：イジェクトスイッチ
２４：ＨＤＤ制御部
２５：リムーバブルＨＤＤ
２７：イジェクトモータ
２８：リモコン
２９：セットトップボックス（ＳＴＢ）
【図１】
2004199742.tif 000003
【図２】
2004199742.tif 000004
【図３】
2004199742.tif 000005
【図４】
2004199742.tif 000006
【図５】
2004199742.tif 000007
【図６】
2004199742.tif 000008
【図７】
2004199742.tif 000009
【図８】
2004199742.tif 000010
【図９】
2004199742.tif 000011
【図１０】
2004199742.tif 000012
【図１１】
2004199742.tif 000013
【図１２】
2004199742.tif 000014